(57)【要約】【課題】装置全体の小型化が図れるホログラム情報記録再生方法を提供する。【解決手段】本発明のホログラム情報記録再生方法は、記録媒体の情報記録エリアＲに、記録媒体に対して同一の方向から参照光及びデータ光を照射して、記録媒体面に対して略直交する方向に干渉縞を形成するホログラム情報形成工程と、参照光及びデータ光を照射した側の記録媒体１００の表面に反射膜１２０を形成する工程と、記録媒体１００に対し、反射膜１２０が形成されていない側から参照光を照射することで、ホログラム情報を再生するホログラム情報再生工程とを有する。【選択図】  図５
2006235364.tif 000002
【特許請求の範囲】
【請求項１】
板状の記録媒体の情報記録エリアに、前記記録媒体に対して同一の面側から参照光及びデータ光を照射して、記録媒体面に対して干渉縞を形成するホログラム情報形成工程と、
前記記録媒体の表面に反射膜を形成する工程と、
前記記録媒体に対して反射膜が形成されていない側から参照光を照射し、前記反射膜で反射された参照光によって、前記ホログラム情報を再生するホログラム情報再生工程と、
を有することを特徴とするホログラム情報記録再生方法。
【請求項２】
前記ホログラム情報形成工程は、前記参照光又はデータ光の前記記録媒体に対する入射角度を可変することで角度多重記録する手段を有することを特徴とする請求項１に記載のホログラム情報記録再生方法。
【請求項３】
前記ホログラム情報形成工程は、前記参照光及びデータ光の波長を可変することで波長多重記録する手段を有することを特徴とする請求項１に記載のホログラム情報記録再生方法。
【請求項４】
板状の記録媒体の情報記録エリアに記録された透過型ホログラム情報を再生可能なホログラム情報再生装置であって、
前記情報記録エリアに参照光を出射する光源と、前記ホログラム情報に前記参照光を照射した際に得られる回折光を検出する光検出器とを有する光学ヘッドを、前記記録媒体の同一の面側に配設し、
前記記録媒体に対して前記光学ヘッドが配設される側と反対の面側に、前記記録媒体の情報記録エリアに対して照射される参照光を反射させる反射ミラーを配設したことを特徴とするホログラム情報再生装置。
【請求項５】
前記反射ミラーは、記録エリアに対する参照光の入射角度を可変するように駆動機構に接続されていることを特徴とする請求項４に記載のホログラム情報再生装置。
【請求項６】
板状の記録媒体の情報記録エリアに、記録媒体に対して同一の面側から参照光及びデータ光を照射して、透過型ホログラム情報が記録されたホログラム情報記録媒体において、
前記記録媒体の表面に反射膜を有することを特徴とするホログラム情報記録媒体。
【発明の詳細な説明】
【技術分野】
【０００１】
本発明は、参照光とデータ光を干渉させてホログラム情報を記録、再生するホログラム情報記録再生方法、並びに、そのようなホログラム情報記録再生方法に用いられるホログラム情報再生装置、及びホログラム情報記録媒体に関する。
【背景技術】
【０００２】
現在、大量のデータを記録しておく媒体として、ＣＤ（コンパクトディスク）やＤＶＤ（ディジタルバーサタイルディスク）などの光記録媒体が広く利用されている。近年、高精細の動画像を記録したいという要望や、パーソナルコンピュータの発達によりさらに大量のデータを記録したいという要望があり、ＣＤやＤＶＤのような光記録媒体では、このような大量のデータを記録するために十分な高密度化を図ることができず、１枚のディスクにこれらの大量のデータを記録することができない。したがって、これらの大量のデータを記録するためには、複数のディスクを交換しながら記録しなければならない。近年、現在のＣＤやＤＶＤなどに比べてかなりの大量のデータを記録することができるホログラム記録媒体が注目されている。
【０００３】
ホログラム情報記録とは、ビーム光を互いにコヒーレントな２つの光に分波し、一方の光を空間光変調器でデータ変調して信号光とし、他方の光を参照光として記録媒体上で合波することにより、データを干渉縞として記録する方式である。そして、この記録媒体に記録時と同じ参照光を照射することにより、信号光を再生光として検出することができ、これによりデータを再生することができる。このホログラム情報記録再生においては、情報再生時の光の波長や照射角度が情報記録時の光の波長や照射角度と異なると信号光が再生されない。この性質を利用して、情報記録再生の光の波長や照射角度を変えて記録媒体の同じ領域にデータを多重して記録することが行われている。
【０００４】
上記したようなホログラムによる情報の記録及び再生方法として、反射型ホログラムと称される方式が知られている。この反射型ホログラムによるホログラム情報の記録方式は、図１に模式的に示すように、記録したいデータを含む信号光（データ光）と、この信号光と干渉させる参照光（リファレンス光）を記録媒体に対して両側から照射することで記録媒体にデータを干渉縞として記録する方式である。そして、記録された情報を再生するには、参照光を照射した際に、回折光が、参照光を入射する側と同じ側に回折されることから、記録媒体に対して参照光を照射する光源と同じ側に光検出器を配設しておく必要がある。
【０００５】
ところが、この反射型ホログラムの記録方式で記録されるホログラム情報（干渉縞）は、図に示すように、干渉縞が記録媒体面に沿った方向（記録媒体面に平行、又は略平行となる方向）に形成されるため、環境温度の変化等に基づく記録媒体の膨張に弱いという問題が考えられる。すなわち、温度変化によって、記録媒体が、媒体表面に対して垂直方向に膨張すると、記録された干渉縞の幅が大きく変化する傾向となり、結果として、記録された情報を正確に再生することができなくなってしまう、という問題がある。
【０００６】
これに対して、例えば、特許文献１に開示されているような透過型ホログラムと称されるホログラム情報の記録方式では、図２に模式的に示すように、記録したいデータを含む信号光（データ光）と、この信号光と干渉させる参照光（リファレンス光）を、記録媒体に対して同一の面側から照射するため、干渉縞は、記録媒体面の厚さ方向（例えば、記録媒体面に対して略垂直な方向）に形成される。従って、温度変化等に基づいて、記録媒体が、媒体表面に対して垂直方向に膨張したとしても、反射型ホログラムのように、干渉縞の間隔が変化するようなことが小さく、安定した再生信号が得られるようになる。
【特許文献１】特開２００２−２１６３５９号公報
【発明の開示】
【発明が解決しようとする課題】
【０００７】
しかしながら、上記した透過型ホログラムによる記録方式では、図２に示すように、記録されたホログラム情報を再生するには、参照光を照射した際に、回折光は、参照光を入射する側と反対側に透過して回折されることから、光検出器を記録媒体に対して参照光を照射する光源と反対側に配設しておく必要がある。すなわち、記録媒体を挟んで、一方側に参照光用の光源等を含む照射ユニットを設置しておき、他方側に回折光を検出する光検出器を含む検出ユニットを設置しなければならないことから、厚さ方向にスペースが必要となり、装置全体が大型化するという問題がある。
【０００８】
本発明は、上記した問題に着目してなされたものであり、ホログラム情報再生時において、ホログラム情報再生装置全体の小型化が図れる、ホログラム情報記録再生方法、ホログラム情報再生装置及びホログラム情報記録媒体を提供することを目的とする。
【課題を解決するための手段】
【０００９】
上記した目的を達成するために、本発明に係るホログラム情報記録再生方法は、板状の記録媒体の情報記録エリアに、前記記録媒体に対して同一の面側から参照光及びデータ光を照射して、記録媒体面に対して干渉縞を形成するホログラム情報形成工程と、前記記録媒体の表面に反射膜を形成する工程と、前記記録媒体に対して反射膜が形成されていない側から参照光を照射し、前記反射膜で反射された参照光によって、前記ホログラム情報を再生するホログラム情報再生工程とを有することを特徴とする。
【００１０】
図３に示すように、ホログラム記録に用いられる記録媒体１００は、例えば、干渉縞が記録される記録層（例えば、フォトポリマーなどの樹脂材料によって形成される）１０１を、透明材料による基板（例えば、ポリカーボネート、アクリル、ガラスによって形成される）１０２で挟持した、いわゆるサンドイッチ構造とする場合がある。このため、記録層１０１の膨張係数が透明材料による基板１０２の膨張係数よりも大きいと、記録層１０１は、基板１０２に対して垂直方向（矢印方向）に大きく膨張するようになる。また、温度変化等に基づく膨張は、上記したように記録層１０１が基板１０２によって挟持されていたり、或いは、支持された状態にあると、表面に沿った方向には起こり難く、専ら、表面に対して直交する方向（矢印方向）で膨張し易い。
【００１１】
このため、図１に示したような、反射型ホログラムの記録方式によって記録媒体面に沿った方向に記録されたホログラム情報（干渉縞）は、温度変化が生じると、記録された干渉縞の幅が大きく変化する傾向となり、結果として、記録された情報を正確に再生することができなくなってしまう、という問題がある。
【００１２】
これに対して、上記したホログラム情報形成工程によれば、記録媒体の情報記録エリアに、板状の記録媒体に対して同一の面側から参照光及びデータ光を照射することで、記録媒体の厚さ方向（例えば、記録媒体面に対して直交方向又は略直交方向）にホログラム情報（干渉縞）が形成される。このため、情報再生時において、記録媒体の膨張等が生じても、反射型ホログラムの場合と比較して、ホログラム情報が変化（干渉縞の幅が変化）することが低減、乃至は防止される。そして、前記記録媒体の表面に反射膜を形成し、情報再生時においては、この反射膜が形成されていない側から同一条件の参照光を照射することで、反射膜で反射された光によって回折光（回折したホログラム情報）が得られるようになる。この回折光は、参照光を照射する側に配設した光検出器で検知することが可能であることから、ホログラム情報再生装置は、光検出器を記録媒体に対して光源と同一の面側に設置することが可能となる。従って、光検出器を記録媒体に対して光源の反対側に設置する構成と比較して、ライン等の接続部材、放熱部材等を一方側に集約することが可能となり、装置全体の厚さを薄くすることが可能となる。
【００１３】
なお、上記した構成において、板状の記録媒体は、円板状のもの、或いは、カード状のものが該当し、その構造については、板状に形成された記録層（例えば、フォトポリマーなどの樹脂材料によって形成される）を、別の材質の基板（例えば、ポリカーボネート、アクリル、ガラスなどの透明材料）で支持したり、図３に示したように、そのような基板で挟持したもの、或いは、記録層単体で構成されたもの等が該当する。
【００１４】
また、上記した目的を達成するために、本発明に係るホログラム情報再生装置は、板状の記録媒体の情報記録エリアに記録された透過型ホログラム情報を再生可能な構成であって、前記情報記録エリアに参照光を出射する光源と、前記ホログラム情報に前記参照光を照射した際に得られる回折光を検出する光検出器とを有する光学ヘッドを、前記記録媒体の同一の面側に配設し、前記記録媒体に対して前記光学ヘッドが配設される側と反対の面側に、前記記録媒体の情報記録エリアに対して照射される参照光を反射させる反射ミラーを配設したことを特徴とする。
【００１５】
上記した構成のホログラム情報再生装置では、ホログラム情報の再生時において、参照光を記録媒体の一方の面側から照射すると、その参照光は反射ミラーで反射された後、干渉縞に入射して回折されることから、光検出器を、参照光を照射する側と同じ側に配設してホログラム情報を再生することが可能となる。
【００１６】
また、本発明のホログラム情報記録媒体は、板状の記録媒体の情報記録エリアに、記録媒体に対して同一の面側から参照光及びデータ光を照射して、透過型ホログラム情報が記録されており、このようなホログラム情報記録媒体において、当該ホログラム情報記録媒体の一方の面側に、参照光を照射する光源、及び光検出器が設置可能となるように、いずれかの表面に反射膜を有することを特徴とする。
【発明の効果】
【００１７】
本発明の構成によれば、透過型ホログラム情報が形成される情報記録エリアに照射される参照光を射出する光源と、干渉縞に参照光を照射した際に得られる回折光を検出する光検出器とを、記録媒体の一方の面側に配設することが可能となるため、ホログラム情報再生装置全体の小型化が図れるようになる。
【発明を実施するための最良の形態】
【００１８】
以下、本発明の実施の形態について、添付図面を参照して詳細に説明する。
【００１９】
図４は、記録媒体面に対して略直交する方向に干渉縞を形成することで透過型ホログラム情報を記録するホログラム情報記録装置の概略構成例を示した図である。図において、符号１０は光源を示しており、この光源１０は、所定の波長を有し、干渉可能な光（コヒーレント光）を射出する半導体レーザなどによって構成される。光源１０の後段（光路における光の進行方向上の先行する位置）には、光源から射出されたビーム光のビーム径を拡大させるビームエキスパンダ１２と、ビーム光を互いにコヒーレントな２つの光に分波するビームスプリッタ１３が設置されている。前記ビームエキスパンダ１２は、光源から射出されたビーム光を拡散させる第１レンズ１２ａ及び拡散した光を平行光にする第２レンズ１２ｂを有する。
【００２０】
前記ビームスプリッタ１３の一方の光路側後段には、データ変調を行なう空間光変調器１６と、データ変調された信号光Ａを、図３に示したように構成された記録媒体１００上に集光させるフーリエ変換レンズ（集光レンズ）１７が配設されている。また、ビームスプリッタ１３の他方の光路側後段には、ビームスプリッタ１３で分波された他方の光を参照光Ｂとして記録媒体１００に偏向させる偏向ミラー２０が配設されている。そして、前記空間光変調器１６でデータ変調された信号光Ａは、後述するように、偏向ミラー２０を介して入射される参照光Ｂと干渉し、記録媒体１００の記録層に記録されると共に、記録に伴って記録媒体１００が駆動されることで、異なる記録エリアに対して順次記録が成される。
【００２１】
前記空間光変調器１６は、例えば２次元配列空間ディジタルフィルタ（透過フィルタ）などで構成することができる。したがって、空間光変調器１６でデータ変調された光は、ディジタルデータの「０」、「１」に対応した白黒パターンで構成されるマトリクス状の２次元パターンを含む信号光Ａとなり、この信号光Ａは、集光レンズ１７によって記録媒体１００上に集光される。
【００２２】
集光レンズ１７によって記録媒体１００上に集光される信号光Ａは、ビームスプリッタ１３で分波されて偏向ミラー２０を介して偏向される光（参照光Ｂ）と合波し、両者が干渉して、周期的に光の強度が変わる干渉縞が記録媒体１００上に形成される。この干渉縞は、合波する２つの光の波面の形状で決まるので、記録媒体１００上では、合波する２つの光の波面の形状が情報として記録される。すなわち、記録媒体１００の情報記録エリアＲには、データ変調された波面を形成する信号光Ａと、データ変調されていない波面を形成する参照光Ｂとの間の干渉縞がホログラム情報として記録される。この場合、信号光Ａと参照光Ｂは、記録媒体１００に対して同一の面側から所定の角度を有して照射されており、形成される干渉縞は、図４に示すように、記録媒体面に対して直交する方向（略直交する方向）となっている。
【００２３】
なお、情報記録時において、光源１０から射出される光の波長を変化させたり、角度可変機構を設けて記録媒体１００に対する光の入射角度を変化させることで、情報記録エリアＲには、情報を多重して記録することが可能である（波長多重、角度多重）。例えば、上記した光源１０である半導体レーザの駆動電流値を可変制御することで、記録媒体１００に対して、同一の記録エリアに対して情報を多重した状態（波長多重）で記録することが可能となる。また、角度可変機構として、偏向ミラー２０に駆動機構２０ａを接続しておき、駆動機構２０ａによって偏向ミラー２０の角度を可変することで、記録媒体１００に対して、同一の記録エリアに対して情報を多重した状態（角度多重）で記録することが可能となる。なお、この場合、偏向ミラー２０の角度を変化させる際、同一の記録エリアに参照光Ｂが照射されるように、偏向ミラーと記録媒体との間に集光レンズを配設しておいても良い。或いは、偏向ミラー２０と記録媒体１００の距離が近い場合は、参照光Ｂの直径を拡径しても良い。
【００２４】
また、上記した角度可変機構は、偏向ミラーを可動させる以外にも、記録媒体１００に参照光を集光させるレンズを可動させるように構成しても良い。例えば、参照光を発散光に変えるレンズと、これを平行化させるレンズを配設しておき、平行化させるレンズを移動させるように構成しても良い。このように、干渉される互いにコヒーレントな光の入射角度を変化させることで、多重記録を行なうことが可能となる。
【００２５】
本実施形態の記録媒体１００は、図３に示したように、銀塩感光材料、重クロム酸ゼラチン、フォトポリマーなどの記録層１０１を、透明材料による基板（例えば、ポリカーボネート、アクリル、ガラスによって形成される）１０２で挟持した構造となっており、記録層１０１の膨張係数が、基板１０２の膨張係数よりも大きい構成となっている。
【００２６】
上記したようにホログラム情報（干渉縞）が形成された記録媒体１００には、信号光Ａ及び参照光Ｂが入射された側の表面（図４に示すＦ１−Ｆ２側の面）に反射膜が形成される。この反射膜は、例えば、記録媒体１００に銀やアルミニウムを蒸着したり、誘電体多層膜を成膜等することで形成され、ホログラム情報再生時において、参照光を反射してホログラム情報を再生する機能を有する。すなわち、反射膜を形成し、参照光をこの反射膜で反射させることで、干渉縞からの回折光を、参照光を射出する光源と同一の面側に配設した光検出器で検出することを可能にする。
【００２７】
これを、図５を参照して具体的に説明する。  
最初、図５（ａ）に示すように、記録媒体１００の同一の面側から、透過型ホログラムによる記録方式によって、信号光Ａと参照光Ｂが記録媒体１００に照射される。このようにして記録されたホログラム情報は、通常、図５（ｂ）に示すように、図５（ａ）に示す光源（図４に示す構成における光源１０）と同じ方向に設置された光源１０Ａから、光源１０と同じ参照光Ｂ（波長、入射角が同一条件の光）を照射することで、光源１０Ａと反対側に回折されることから、光源１０Ａの反対側に設置された光検出器３０で検出することが可能となる。なお、前記光検出器３０は、再生光の２次元パターンに対応する２次元の受光セルアレイを有しており、例えばＰＤアレイ、ＣＣＤ素子アレイ、ＣＭＯＳ素子アレイなどで構成される。
【００２８】
これに対し、上記したように、信号光Ａ及び参照光Ｂが入射された側の表面（図４に示すＦ１−Ｆ２の面側）に反射膜１２０を形成しておくことにより、図５（ｃ）で示すように、Ｆ３−Ｆ４の面側に配設された光源１０Ａから照射された参照光Ｂ´を反射膜１２０で反射させて、上記した図５（ｂ）に示す参照光Ｂと同様な条件で記録エリアＲに入射させることが出来るようになる（図５（ｃ）では、反射膜１２０で反射される参照光Ｂを分かり易くするために、記録媒体１００と反射膜１２０とを離間させて示してあるが、実際には、記録媒体１００の表面に反射膜１２０が形成された状態となっている）。
【００２９】
反射膜１２０によって反射された参照光Ｂは、図５（ｂ）に示した参照光Ｂと同一の条件になることから、光源１０Ａと同一の面側に配設された光検出器３０によって、ホログラム情報を再生することが可能となる。すなわち、記録時において信号光Ａ及び参照光Ｂが入射された側の表面（図４に示すＦ１−Ｆ２の面側）に、情報記録後に反射膜１２０を形成しておくことにより、図５（ｃ）に示すような情報再生光学系を有するホログラム情報再生装置でホログラム情報の読み取りを行なうことが可能となる。
【００３０】
なお、このようなホログラム情報再生装置は、例えば、図４に示したホログラム情報記録装置における光学素子（空間光変調器１６、集光レンズ１７）をユニットとして、図５（ｃ）に示す光検出器３０を含むユニットと切換え可能にすることで、ホログラム情報記録装置としての機能を持たせても良いし、或いは、ホログラム情報を再生する機能のみを有する装置として構成しても良い。また、図５（ｃ）においては、光源１０Ａは簡略化して示してあるが、記録媒体１００に対して、反射膜１２０で反射された光を、図４に示した参照光Ｂと同一の条件で照射するよう構成される。
【００３１】
図５（ｂ）、及び図５（ｃ）の比較で明らかなように、透過型ホログラムによるホログラム情報の記録後に、記録媒体１００の表面に反射膜１２０を形成しておくことで、再生光学系における光検出器３０を、記録媒体１００に対して光源１０Ａと同一の面側に設置することが可能となり、記録媒体１００の反対側を省スペース化することが可能となる。すなわち、光検出器を設置することに伴うライン等の接続部材や、放熱機能を有する各種の部材等、それに付随する部材を記録媒体１００の反対側に設置することなく、単に、反射膜１２０を形成するだけで済むため、装置全体の厚さを、その分、薄くすることが可能となる。
【００３２】
なお、上記した構成では、光源１０Ａと光検出器３０とを有する光学ヘッドは、装置本体のフレームに固定しておき、記録媒体１００を駆動することで記録媒体１００に記録されたホログラム情報を読み取ることが可能となる。或いは、光源１０Ａと光検出器３０とを有する光学ヘッドを記録媒体１００に対して相対的に駆動するように構成しても良い。
【００３３】
図６は、上記したように透過型ホログラムによる記録方式によって記録されたホログラム情報を、複素共役型の光学系によって再生する際の概略構成を示す図である。このような複素共役型の光学系を用いる場合、記録媒体１００に形成される反射膜は、逆の面側となる。以下、具体的に説明する。
【００３４】
最初、図６（ａ）に示すように、記録媒体１００の同一の面側から、透過型ホログラムによる記録方式によって、信号光Ａと参照光Ｂが記録媒体１００に照射される。このようにして記録されたホログラム情報を複素共役型の光学系で再生する場合、図６（ｂ）に示すように、図６（ａ）に示す光源１０からの参照光と共役な関係の参照光（記録媒体１００に対して対称な方向で入射する参照光Ｂｒ）を照射することで、光源１０Ａ´と反対側に回折されることから、光源１０Ａ´の反対側に設置された光検出器３０で検出することが可能となる。
【００３５】
従って、信号光Ａ及び参照光Ｂが入射された側とは反対側の表面（図６（ａ）に示すＦ３−Ｆ４の面側）に反射膜１２０ａを形成しておくことにより、図６（ｃ）で示すように、Ｆ１−Ｆ２の面側に配設された光源１０Ａ´から照射された参照光Ｂｒ´を反射膜１２０ａで反射させて、上記した図６（ｂ）に示す参照光Ｂｒと同様な条件で記録エリアＲに入射させることが出来るようになる（図６（ｃ）では、反射膜１２０ａによる反射光を分かり易くするために、記録媒体１００と反射膜１２０ａとを離間させて示してあるが、実際には、記録媒体１００の表面に反射膜１２０ａが形成された状態となっている）。
【００３６】
これによって、図６（ｂ）に示した構成と同様、光源１０Ａ´と同一の面側に配設された光検出器３０によって、ホログラム情報を再生することが可能となる。すなわち、複素共役型の再生光学系では、記録時において信号光Ａ及び参照光Ｂが入射された側とは反対側の表面（図４に示すＦ３−Ｆ４の面側）に反射膜１２０ａを形成しておくことにより、図６（ｃ）に示すような情報再生光学系を有するホログラム情報再生装置によって記録媒体の読み取りを行なうことが可能となる。
【００３７】
このような構成においても、再生光学系における光検出器３０を、記録媒体１００に対して光源１０Ａ´と同一の面側に設置することが可能となり、記録媒体１００の反対側を省スペース化することが可能となる。すなわち、光検出器を設置することに伴うライン等の接続部材や、放熱機能を有する各種の部材等、それに付随する部材を記録媒体１００の反対側に設置することなく、単に、反射膜１２０ａを形成するだけで済むため、装置全体の厚さを、その分、薄くすることが可能となる。
【００３８】
図７及び図８は、本発明に係るホログラム情報記録再生方法、及びホログラム情報再生装置の別の実施形態を示す図である。
【００３９】
最初、図７に示すように、記録媒体１００の一方の面Ｆ１−Ｆ２側から、上記した実施形態と同様、同一の光源１０Ａからの光を分波して信号光Ａ及び参照光Ｂを得てこれを照射し、情報記録エリアＲに、記録媒体面に対して略直交する方向となるホログラム情報を記録する。
【００４０】
そして、上記したホログラム情報を再生するに当たっては、例えば、図８に示すようなホログラム情報再生装置が用いられる。このホログラム情報再生装置のフレームには、記録媒体１００が設置される位置に対応して、記録媒体１００の一方の面Ｆ１−Ｆ２と所定距離離間（記録媒体１００に対して密着される構成であっても良い）して反射ミラー１３０が配設されている。
【００４１】
ホログラム情報が記録された記録媒体１００に対しては、反射ミラー１３０が設置されていない側に配設された光源１０Ａから参照光Ｂ´が照射されると、反射ミラー１３０で反射され、その反射光Ｂは、情報記録エリアＲに参照光として照射される。反射ミラー１３０で反射される反射光Ｂは、上述した図５で説明したとおり、図７に示した参照光Ｂと同一条件（波長、入射角）の光とすることが出来、図７に示した情報記録時に入射される参照光Ｂ（記録媒体のＦ１側から入射される参照光Ｂ）と同様な参照光として機能することから、上述した図５（ｃ）と同様、光源１０Ａが設置される側に再生光（回折光）が得られるようになる。そして、この再生光を、光検出器３０によって検出することで、情報再生信号が得られるようになる。
【００４２】
このように、ホログラム情報再生装置において、記録媒体１００に対応する領域に、反射ミラー１３０を設置することで、光検出器３０を、記録媒体１００に対して光源１０Ａと同一側に設置することが可能となり、上述した実施形態と同様、記録媒体１００の反対側を省スペース化することが可能となる。すなわち、光検出器を設置することに伴うライン等の接続部材や、放熱機能を有する部材等、それに付随する部材を記録媒体１００の反対側に設置することなく、単に、反射ミラー１３０を設置するだけで済むため、装置全体の厚さを、その分、薄くすることが可能となる。なお、このような構成において、複素共役型の光学系とする場合は、図６に示した構成のように、Ｆ３−Ｆ４側にミラーを設置しておけば良い。
【００４３】
そして、このような構成において、上述したように、角度多重方式でホログラム情報が記録されている場合は、反射ミラー１３０を可動するミラー駆動機構１５０を設けておき、情報再生時において、記録時と同様に参照光Ｂの入射角度が変化するように回動駆動することで、角度多重方式で記録されたホログラム情報を再生することが可能になる。
【００４４】
以上、本発明の実施形態について説明したが、本発明は、上記した実施形態に限定されず、種々変更して実施することが可能である。例えば、記録媒体に対して、多重情報を記録、再生する場合にも、上記した構成を適用することが可能である。また、光学ヘッドの構成、光学ヘッドを駆動するための駆動機構や駆動手段の構成、記録媒体に対する駆動方向など、適宜変形することが可能である。さらに、上記した実施形態におけるホログラム情報再生装置は、図４に示したようなホログラム情報を記録する機能（ユニット）を組み込んだり、両者の間で光学系を共有化するような構成であっても良い。
【図面の簡単な説明】
【００４５】
【図１】記録媒体に対して、記録媒体面に平行なホログラム情報（干渉縞）を形成する際のホログラム情報記録再生装置の概略構成を示す図。
【図２】記録媒体に対して、記録媒体面に垂直なホログラム情報（干渉縞）を形成する際のホログラム情報記録再生装置の概略構成を示す図。
【図３】記録媒体の構成例を示す図。
【図４】記録媒体に対して、記録媒体面に略垂直なホログラム情報（干渉縞）を形成する際のホログラム情報記録装置の概略構成を示す図。
【図５】（ａ）から（ｃ）を含み、透過型ホログラムで記録された情報を再生する原理の概略を説明する図。
【図６】（ａ）から（ｃ）を含み、透過型ホログラムで記録された情報を、複素共役型光学系を利用して再生する原理の概略を説明する図。
【図７】本発明の第２の実施形態を示す図であり、ホログラム情報記録装置の概略構成を示す図。
【図８】図７に示すホログラム情報記録装置で情報が記録された記録媒体を再生するホログラム情報再生装置の第２の実施形態の概略構成を示す図。
【符号の説明】
【００４６】
１０，１０Ａ  光源
３０  光検出器
１００  記録媒体
１２０，１２０ａ  反射膜
１３０  反射ミラー
Ａ  信号光
Ｂ  参照光
Ｃ  回折光（再生光）
Ｒ  情報記録エリア
【図１】
2006235364.tif 000003
【図２】
2006235364.tif 000004
【図３】
2006235364.tif 000005
【図４】
2006235364.tif 000006
【図５】
2006235364.tif 000007
【図６】
2006235364.tif 000008
【図７】
2006235364.tif 000009
【図８】
2006235364.tif 000010